(57)【特許請求の範囲】
【請求項１】
内蔵するマイクの出力信号に基づく通話信号を外部の通信機器に送信する携帯通信端末であって、
前記マイクと離間されて配置されるサブマイクと、
前記マイクの出力信号と前記サブマイクの出力信号とに基づいて、前記マイクの出力信号から当該信号に含まれる雑音成分を低減したノイズ低減信号を生成するノイズ低減部と、
鉛直方向に対する自端末の傾きを計測する傾斜計測部と、
前記傾斜計測部によって計測される前記傾きが所定の範囲内に収まっていない場合に前記マイクの出力信号を選択するように、前記マイクの出力信号と前記ノイズ低減部によって生成されたノイズ低減信号とを択一的に選択する選択部と、
前記選択部によって選択された信号を前記外部の通信機器に送信する送信部と、
人体と自端末との近接を検出する近接検出部と、
外部の通信機器から送信された通信信号を受信する受信部と、
前記受信部が受信する通信信号に基づく音声を外部に出力するレシーバとを備え、
前記所定の範囲は、前記近接検出部が前記近接を検知した状態において、前記鉛直方向に対して、前記レシーバを基点として、前記自端末の表面のうち前記レシーバから音を放出するレシーバ孔が設けられた表面が離れる方向への角度成分で表わされる
ことを特徴とする携帯通信端末。
【請求項２】
前記選択部は、前記択一的な選択において、さらに、前記近接検出部によって前記検出がなされていない場合にも前記マイクの出力信号を選択するように行う
ことを特徴とする請求項１記載の携帯通信端末。
【請求項３】
外部の通信機器から送信された通信信号を受信する受信部と、
前記受信部が受信する通信信号に基づく音声を外部に出力するレシーバとを備え、
前記所定の範囲は、自端末を利用するユーザが前記レシーバを耳に近接させる状態において、当該ユーザの口と前記マイクとの距離の方が、当該ユーザの口と前記サブマイクとの距離よりも短くなる範囲に含まれている
ことを特徴とする請求項１または２記載の携帯通信端末。
【請求項４】
持ち手情報を記憶する持ち手情報保持部を更に備える
ことを特徴とする請求項１乃至３のいずれか記載の携帯通信端末。
【請求項５】
互いに直交する３軸成分の加速度センサを更に備え、
前記傾斜計測部は、前記加速度センサからの傾斜情報に基づいて、前記傾きを計測する
ことを特徴とする請求項１乃至４のいずれか記載の携帯通信端末。
【発明の詳細な説明】
【技術分野】
【０００１】
本発明は、ノイズ低減機能を有する携帯通信端末についての技術に関する。
【背景技術】
【０００２】
携帯通信端末は、例えば、繁華街、駅構内といった、比較的大きな騒音が存在する場所で利用されることが想定される。このため、通話機能を有する携帯通信端末には、自端末を利用するユーザの声以外の音声成分を低減するためのノイズ低減手段を備えるものがある。
例えば、特許文献１には、第１マイクと第２マイクと近接センサとを備え、近接センサがユーザの頭部の近接を検知する場合に、第２マイクによって集音された自端末周囲の音声信号の逆位相の信号を、第１マイクによって集音された音声信号に混合することで、第１マイクから集音された音声信号から、ユーザの声以外の音声成分を除去する携帯通信端末についての技術が記載されている。
【先行技術文献】
【特許文献】
【０００３】
【特許文献１】特開２０１０−８１４９５号公報
【発明の概要】
【発明が解決しようとする課題】
【０００４】
しかしながら、上記特許文献１に記載されている携帯通信端末によると、ユーザが第１マイクから口を遠ざけた状態で通話を試みる場合において、第１マイクに入力されるユーザの声についての音量レベルと、第２マイクに回り込んで入力されるユーザの声についての音量レベルとが互いに同等レベルのものとなってしまうときに、ノイズ低減手段によって、ユーザの声についての音声成分までもが除去、又は比較的大幅に低減されることとなってしまう。
【０００５】
そこで、本発明は係る問題に鑑みてなされたものであり、通話機能を有し、ノイズ低減手段を備える携帯通信端末において、従来よりも、ノイズ低減手段によるユーザの声についての音声成分の大幅な低減が起こりにくくなる携帯通信端末を提供することを目的とする。
【課題を解決するための手段】
【０００６】
上記課題を解決するために本発明に係る携帯通信端末は、内蔵するマイクの出力信号に基づく通話信号を外部の通信機器に送信する携帯通信端末であって、前記マイクと離間されて配置されるサブマイクと、前記マイクの出力信号と前記サブマイクの出力信号とに基づいて、前記マイクの出力信号から当該信号に含まれる雑音成分を低減したノイズ低減信号を生成するノイズ低減部と、鉛直方向に対する自端末の傾きを計測する傾斜計測部と、前記傾斜計測部によって計測される前記傾きが所定の範囲内に収まっていない場合に前記マイクの出力信号を選択するように、前記マイクの出力信号と前記ノイズ低減部によって生成されたノイズ低減信号とを択一的に選択する選択部と、前記選択部によって選択された信号を前記外部の通信機器に送信する送信部とを備えることを特徴とする。
【発明の効果】
【０００７】
本発明に係る携帯通信端末は、所定の範囲を、マイクから入力されるユーザの声についての音量レベルが、サブマイクから入力されるユーザの声についての音量レベルよりも、ノイズ低減手段によって比較的大幅に低減されてしまうことのない程度に大きくなる範囲と設定することで、従来よりも、ノイズ低減手段によるユーザの声についての音声成分の大幅な低減を起こりにくくすることができる。
【図面の簡単な説明】
【０００８】
【図１】（ａ）表側主表面側（後述）から見た携帯電話機１００の斜視図、（ｂ）裏側主表面側（後述）から見た携帯電話機１００の斜視図
【図２】携帯電話機１００についての、長辺側側面から見た断面図
【図３】携帯電話機１００の回路構成を示すブロック図
【図４】ノイズ低減機能ブロック４００の機能構成を示すブロック図
【図５】３軸（Ｘ軸、Ｙ軸、Ｚ軸）の方向が併記されている携帯電話機１００の斜視図
【図６】通話に利用される携帯電話機１００をＹ軸直交平面に射影した射影像の模式図
【図７】選択処理のフローチャート
【図８】変形ノイズ低減機能ブロック８００の機能構成を示すブロック図
【図９】通話に利用される変形携帯電話機をＸ軸直交平面に射影した射影像の模式図
【図１０】変形選択処理のフローチャート
【図１１】携帯電話機１１００の斜視図
【発明を実施するための形態】
【０００９】
＜実施の形態＞
＜概要＞
以下、本発明に係る携帯通信端末の一例として、マイク２１０とサブマイク２３０とを備え、マイク２１０の出力信号とサブマイク２３０の出力信号とに基づいて、マイク２１０の出力信号に含まれる雑音成分（ユーザの声以外の音声成分）を低減するノイズキャンセル処理を行う機能を有する携帯電話機１００について説明する。
【００１０】
この携帯電話機１００は、さらに、近接センサ２５０と加速度センサ２４０とを内蔵しており、近接センサ２５０が、自端末を利用するユーザの頭部と自端末とが互いに近接していることを検出している場合において、加速度センサ２４０が、鉛直方向に対する自端末の傾きが所定の範囲内に収まっていることを検出しているときに限って、上記ノイズキャンセル処理を行う。
【００１１】
以下、この携帯電話機１００の構成の詳細について、図面を参照しながら説明する。
＜構成＞
携帯電話機１００は、略直方体の筐体を備えるいわゆるスマートフォン型携帯電話機であって、筐体の一方の主表面にタッチパネル１３０の操作面が配置されている。
図１（ａ）は、タッチパネル１３０の操作面が配置されている筐体の主表面（以下、「表側主表面」と呼ぶ。）側から見た、携帯電話機１００の斜視図であり、図１（ｂ）は、表側主表面に対向する筐体の他方の主表面（以下、「裏側主表面」と呼ぶ。）側から見た、携帯電話機１００の斜視図である。
【００１２】
図１（ａ）に示されるように、携帯電話機１００は、その筐体の表側主表面にタッチパネル１３０の操作面とマイク孔１１０とレシーバ孔１２０とを有している。そして、図１（ｂ）に示されるように、その筐体の裏側主表面のうちの、レシーバ孔１２０に対向する位置に、サブマイク孔１４０を有している。
図２は、携帯電話機１００についての、長辺側側面から見た断面図である。
【００１３】
同図に示されるように、携帯電話機１００は、マイク２１０とレシーバ２２０とサブマイク２３０とタッチパネル１３０と加速度センサ２４０と近接センサ２５０と基板２６０とアンテナ構体２９１と電池２９２とを備えている。そして、基板２６０上には、さらに、通信用ＬＳＩ（Large Scale Integration）２６１、メモリ２６２、ＣＰＵ（Central Processing Unit）２６３、周辺ＩＣ（Integrated Circuit）２６４、タッチパネルコントローラ２６５等といった電子部品が配置されている。また、タッチパネル１３０は、液晶ディスプレイ２８０の表示面に透明なタッチパッド２７０が重ね合わされて配置されることで構成され、アンテナ構体２９１には、金属薄膜製のアンテナ３２０（図２中には図示されず。）が配置されている。
【００１４】
図３は、携帯電話機１００の回路構成を示すブロック図である。
マイク２１０は、ＣＰＵ２６３に接続され、マイク孔１１０（図１、図２参照）を通して筐体外部から入力される音声を電気信号に変換して、変換した電気信号をＣＰＵ２６３へ送る機能を有する。
サブマイク２３０は、ＣＰＵ２６３に接続され、サブマイク孔１４０（図１、図２参照）を通して筐体外部から入力される音声を電気信号に変換して、変換した電気信号をＣＰＵ２６３へ送る機能を有する。
【００１５】
レシーバ２２０は、ＣＰＵ２６３に接続され、ＣＰＵ２６３によって制御され、ＣＰＵ２６３から送られる電気信号を音声に変換して、変換した音声を、レシーバ孔１２０（図１、図２参照）を通して筐体外部に出力する機能を有する。
近接センサ２５０は、ＣＰＵ２６３に接続され、ＣＰＵ２６３によって制御され、人体の頭部等の静電容量の大きな物体（以下、単に「人体頭部等」と呼ぶ。）の接近を検知して、人体頭部等の近接を検知する旨のデジタル信号である近接信号をＣＰＵ２６３へ送る機能を有する。この近接センサ２５０は、例えば、市場から容易に入手することができる静電容量型近接センサ（検出体の接近による電気的な容量の変化を捉えることで、検出体の接近を検知するセンサ）等を利用して容易に作成することができる。
【００１６】
加速度センサ２４０は、ＣＰＵ２６３に接続され、ＣＰＵ２６３によって制御され、鉛直方向を検出して、検出した鉛直方向を示すデジタル信号である傾斜情報をＣＰＵ２６３へ送る機能を有する。ここで、この傾斜情報は、互いに直交する３軸（Ｘ軸、Ｙ軸、Ｚ軸：それぞれの軸方向については、後述する。）成分のそれぞれを示すＸ軸成分信号とＹ軸成分信号とＺ軸成分信号とから構成される。この加速度センサ２４０は、例えば、市場から容易に入手することができる３軸加速度センサ等を利用して容易に作成することができる。
【００１７】
アンテナ３２０は、通信用ＬＳＩ２６１に接続され、通信用ＬＳＩ２６１が行う通信に利用される金属薄膜製のモノポールアンテナである。
通信用ＬＳＩ２６１は、アンテナ３２０とＣＰＵ２６３とに接続され、ＣＰＵ２６３によって制御され、ＣＰＵ２６３から送られて来た送信用信号を変調する変調機能と、変調した信号を、アンテナ３２０を利用して外部機器に送信する送信機能と、外部機器から送信された信号を、アンテナ３２０を利用して受信する受信機能と、受信した信号を復調してＣＰＵ２６３へ送る復調機能とを有する。
【００１８】
タッチパッド２７０は、タッチパネルコントローラ２６５に接続され、タッチパネルコントローラ２６５によって制御され、透明電極（例えば、ＩＴＯ（Indium Tin Oxide：酸化インジウムスズ）製）を備える透明なタッチパッドであって、液晶ディスプレイの表示面に重ね合わせられることでタッチパネル１３０を形成する。
液晶ディスプレイ２８０は、タッチパネルコントローラ２６５に接続され、タッチパネルコントローラ２６５によって制御される液晶ディスプレイであって、タッチパッド２７０をその表示面に重ね合わせられることでタッチパネル１３０を形成する。
【００１９】
タッチパネルコントローラ２６５は、ＣＰＵ２６３とタッチパッド２７０と液晶ディスプレイ２８０とに接続され、ＣＰＵ２６３によって制御され、ＣＰＵ２６３から送られてくる画像信号に基づく画像を、液晶ディスプレイ２８０に表示させる表示機能と、携帯電話機１００を利用するユーザが、タッチパッド２７０を用いて行うユーザ操作を、電気信号に変換してＣＰＵ２６３に送る操作受付機能とを有する。
【００２０】
周辺ＩＣ２６４は、ＣＰＵ２６３に接続され、ＣＰＵ２６３によって制御され、時間の経過を計測するタイマ機能等を有する。
メモリ２６２は、ＣＰＵ２６３に接続され、ＣＰＵ２６３の動作を規定するプログラムと、ＣＰＵ２６３が利用するデータとを記憶する。
ＣＰＵ２６３は、マイク２１０とレシーバ２２０とサブマイク２３０と加速度センサ２４０と近接センサ２５０と通信用ＬＳＩ２６１とメモリ２６２と周辺ＩＣ２６４とタッチパネルコントローラ２６５とに接続され、２つのアナログデジタルコンバータと１つのデジタルアナログコンバータとを内蔵し、メモリ２６２に記憶されているプログラムを実行することで、加速度センサ２４０と近接センサ２５０と通信用ＬＳＩ２６１と周辺ＩＣ２６４とタッチパネルコントローラ２６５とを制御して、以下の２つの機能を実現する。
【００２１】
携帯電話機制御機能：携帯電話機１００に、従来のスマートフォン型携帯電話機が有する携帯電話機としての一般的な機能と同等な機能、例えば、通話機能、インターネットサイト閲覧機能、メール送受信機能、待ち受け機能等を実現させる機能。この携帯電話機制御機能は、ＣＰＵ２６３がメモリ２６２に記憶されているプログラムを実行することで実現される。
【００２２】
ノイズ低減機能：携帯電話機１００が外部の携帯電話機との通話状態である場合において、近接センサ２５０が人体頭部等の接近を検知しているときに、加速度センサ２４０の検出する鉛直方向に対する傾き度合いが所定の範囲内（後述）に収まっていれば、マイク２１０の出力信号からサブマイク２３０の出力信号成分を減ずることで、マイク２１０の出力信号から当該信号に含まれる雑音成分を低減したノイズ低減信号を生成し、生成したノイズ低減信号をその通話における音声信号として利用する機能。このノイズ低減機能は、ＣＰＵ２６３がメモリ２６２に記憶されているプログラムを実行して、携帯電話機１００に後述の選択処理を行わせることで実現される。なお、この選択処理については、後程＜選択処理＞の項目において、フローチャートを用いて詳細に説明する。
【００２３】
図４は、上記ノイズ低減機能を実現するノイズ低減機能ブロック４００の機能構成を示すブロック図である。このノイズ低減機能ブロック４００は、ＣＰＵ２６３がメモリ２６２に記憶されているプログラムを実行することで実現される。
同図に示されるように、ノイズ低減機能ブロック４００は、第１アナログデジタル変換部４１０と第２アナログデジタル変換部４２０とデジタルアナログ変換部４３０とノイズキャンセル部４４０と選択部４５０と傾斜判定部４６０と持ち手情報保持部４７０と傾斜範囲情報保持部４８０とから構成される。
【００２４】
第１アナログデジタル変換部４１０は、マイク２１０とノイズキャンセル部４４０と選択部４５０とに接続され、マイク２１０から送られてくるアナログ電気信号をデジタル信号に変換して、ノイズキャンセル部４４０と選択部４５０とに送る機能を有する。
第２アナログデジタル変換部４２０は、サブマイク２３０とノイズキャンセル部４４０とに接続され、サブマイクから送られてくるアナログ電気信号をデジタル信号に変換して、ノイズキャンセル部４４０に送る機能を有する。
【００２５】
デジタルアナログ変換部４３０は、通信用ＬＳＩ２６１とレシーバ２２０とに接続され、通信用ＬＳＩ２６１から送られてくる復調された通話信号を、レシーバ２２０が利用することができるアナログ電気信号に変換して、レシーバ２２０に送る機能を有する。
ノイズキャンセル部４４０は、第１アナログデジタル変換部４１０から送られてくる信号（すなわち、マイク２１０の出力信号がデジタル信号に変換された信号：以下、「マイク音声信号」と呼ぶ。）に、第２アナログデジタル変換部４２０から送られてくる信号（すなわち、サブマイク２３０の出力信号がデジタル信号に変換された信号）の逆位相の信号を混合してノイズ低減信号を生成し、生成したノイズ低減信号を選択部４５０に送る機能を有する。
【００２６】
ここで、マイク２１０がユーザの声と外部環境の音声とを集音している場合において、サブマイク２３０が外部環境の音声を集音しているときには、ノイズ低減信号は、マイク音声信号から、マイク音声信号に含まれる外部環境の音声成分が抑制されたものとなる。
持ち手情報保持部４７０は、傾斜判定部４６０に接続され、持ち手情報を記憶する機能を有する。ここで、この持ち手情報は、携帯電話機１００を利用するユーザが携帯電話機１００を用いて通話する際に利用する持ち手が右手と左手とのうちのいずれであるかを示す情報であって、ユーザが所定の手続きでタッチパネル１３０を操作することで持ち手情報保持部４７０に記憶される（持ち手情報の記憶に係る処理を行う機能ブロック等は図４中に図示されていない。）。また、持ち手情報保持部４７０は、初期状態において初期値として右手を示す持ち手情報を記憶する。
【００２７】
傾斜範囲情報保持部４８０は、傾斜判定部４６０に接続され、右手傾斜範囲情報と左手傾斜範囲情報とを記憶する機能を有する。ここで、右手傾斜範囲情報は、携帯電話機１００を利用するユーザが右手で携帯電話機１００を持って通話する際におけるノイズキャンセル処理実施の有無に係る、携帯電話機１００の傾きの範囲を示す情報であって、左手傾斜範囲情報は、携帯電話機１００を利用するユーザが左手で携帯電話機１００を持って通話する際におけるノイズキャンセル処理実施の有無に係る、携帯電話機１００の傾きの範囲を示す情報である。また、携帯電話機１００の傾きとは、レシーバ孔１２０の中心点を基点としてマイク孔１１０の中心点を終点とするベクトルと鉛直方向とのなす角度のことをいう。これら右手傾斜範囲情報と左手傾斜範囲情報とは、予め傾斜範囲情報保持部４８０に記憶されている。
【００２８】
以下、図面を用いて、上記右手傾斜範囲情報と左手傾斜範囲情報とのそれぞれが示す携帯電話機１００の傾きの範囲について説明する。
まず、携帯電話機１００における、互いに直交する３軸（Ｘ軸、Ｙ軸、Ｚ軸）の方向について説明する。
図５は、携帯電話機１００の斜視図であって、携帯電話機１００における３軸（Ｘ軸、Ｙ軸、Ｚ軸）の方向が併記されている。
【００２９】
同図に示されるように、Ｘ軸は、携帯電話機１００の表側主平面における短辺に並行な軸であって、図５における左側方向が正の向きとなっている。そして、Ｚ軸は、携帯電話機１００の表側主平面における長辺に平行な軸であって、図５における下側方向が正の向きとなっている。また、Ｙ軸は、携帯電話機１００の表側主平面に直交する軸であって、図５における奥側方向が正の向きとなっている。
【００３０】
ここで、レシーバ孔１２０の中心点を基点としてマイク孔１１０の中心点を終点とするベクトルの向きは、このＺ軸の正の向きと一致している。そして、加速度センサ２４０における、Ｘ軸、Ｙ軸、Ｚ軸のそれぞれの正の向きと、携帯電話機１００における、Ｘ軸、Ｙ軸、Ｚ軸のそれぞれの正の向きとが互いに一致するように、加速度センサ２４０は、携帯電話機１００の筐体に固定されている。
【００３１】
図６は、ユーザが右手で携帯電話機１００を持って通話する場合において、携帯電話機１００を、携帯電話機１００のＹ軸に直交する平面（以下、「Ｙ軸直交平面」と呼ぶ。）に射影した射影像を模式的に示す模式図である。
同図における携帯電話機１００の射影像ａ〜ｅに示されるように、携帯電話機１００は、ユーザによって様々な角度に傾けられて通話に利用される状況が想定される。なお、射影像ａは、携帯電話機１００のＺ軸の射影軸と鉛直方向との角度が１３５度となる状態の携帯電話機１００の射影像を示し、射影像ｂは、携帯電話機１００のＺ軸の射影軸と鉛直方向との角度が９０度となる状態の携帯電話機１００の射影像を示し、射影像ｃは、携帯電話機１００のＺ軸の射影軸と鉛直方向との角度が４５度となる状態の携帯電話機１００の射影像を示し、射影像ｄは、携帯電話機１００のＺ軸の射影軸と鉛直方向とが一致する状態の携帯電話機１００の射影像を示し、射影像ｅは、携帯電話機１００のＺ軸の射影軸と鉛直方向との角度が−４５度となる状態の携帯電話機１００の射影像を示している。ここで、携帯電話機１００のＺ軸の射影軸と鉛直方向との角度は、ユーザの顔の正面方向への向きを正となる向きとしている。
【００３２】
携帯電話機１００がｂ〜ｄの範囲に傾けられて通話に利用される場合には、ユーザの口からマイク孔１１０までの距離の方が、ユーザの口からサブマイク孔１４０までの距離よりも大きくなっている。従って、この場合には、マイク孔１１０から入力されるユーザの声の音声強度の方が、サブマイク孔１４０から入力されるユーザの声の音声強度よりも大きくなると考えられる。
【００３３】
逆に、携帯電話機１００がａ又はｅの位置に傾けられて通話に利用される場合には、ユーザの口からマイク孔１１０までの距離の方が、ユーザの口からサブマイク孔１４０までの距離よりも、必ずしも大きくなっていない。従って、この場合には、マイク孔１１０から入力されるユーザの声の音声強度の方が、サブマイク孔１４０から入力されるユーザの声の音声強度よりも必ずしも大きくなるわけではないと考えられる。
【００３４】
右手傾斜範囲情報は、携帯電話機１００がユーザの右手によって支持されて通話に利用される際におけるユーザの声について、マイク孔１１０から入力され音声強度の方が、サブマイク孔１４０から入力される音声強度よりも大きくなる範囲、すなわち、携帯電話機１００が図６におけるｂ〜ｄの範囲に傾けられている状態を示す情報である。具体的には、加速度センサ２４０が示す鉛直方向について、そのＸ軸成分の値が０以下であり、かつ、そのＺ軸成分の値が０以上である範囲を示す情報である。
【００３５】
同様に、左手傾斜範囲情報は、携帯電話機１００がユーザの左手によって支持されて通話に利用される際におけるユーザの声について、マイク孔１１０から入力され音声強度の方が、サブマイク孔１４０から入力される音声強度よりも大きくなる範囲を示す情報である。具体的には、加速度センサ２４０が示す鉛直方向について、そのＸ軸成分の値が０以上であり、かつ、そのＺ軸成分の値が０以上である範囲を示す情報である。
【００３６】
再び図４に戻って、ノイズ低減機能ブロック４００の説明を続ける。
傾斜判定部４６０は、加速度センサ２４０と持ち手情報保持部４７０と傾斜範囲情報保持部４８０と選択部４５０とに接続され、以下の２つの機能を有する。
傾斜情報取得機能：加速度センサ２４０から送られる傾斜情報を取得する機能。
傾斜判定機能：持ち手情報保持部４７０に記憶される持ち手情報と、傾斜範囲情報保持部４８０に記憶される右手傾斜範囲情報又は左手傾斜範囲情報とを参照して、（１）参照した持ち手情報が右手を示す情報である場合において、取得した傾斜情報によって示される鉛直方向が、参照した右手傾斜範囲情報によって示される範囲内に収まっているときと、（２）参照した持ち手情報が左手を示す情報である場合において、取得した傾斜情報によって示される鉛直方向が、参照した左手傾斜範囲情報によって示される範囲内に収まっているときとに、選択部４５０に、携帯電話機１００の傾きが所定の範囲内に収まっている旨の傾斜判定信号を送る機能。
【００３７】
選択部４５０は、近接センサ２５０と傾斜判定部４６０と第１アナログデジタル変換部４１０とノイズキャンセル部４４０と通信用ＬＳＩ２６１とに接続され、（１）傾斜判定部４６０から傾斜判定信号が送られている場合において、近接センサ２５０から近接信号が送られているときに、ノイズキャンセル部４４０から送られるノイズ低減信号を選択して通話用信号として通信用ＬＳＩ２６１に送り、（２）傾斜判定部４６０から傾斜判定信号が送られていない場合、又は、近接センサ２５０から近接信号が送られていない場合に、第１アナログデジタル変換部４１０から送られるデジタル信号を選択して通話用信号として通信用ＬＳＩ２６１に出力する機能を有する。
【００３８】
以下、図面を参照しながら、上記構成の携帯電話機１００の行う動作について説明する。
＜動作＞
ここでは、携帯電話機１００の行う動作のうち、特徴的な動作である、選択処理について説明する。
【００３９】
＜選択処理＞
選択処理は、通話状態である携帯電話機１００が行う処理であって、加速度センサ２４０の検出する鉛直方向と、近接センサ２５０の検出する人体頭部等の近接の有無とに応じて、選択部４５０が、通信用ＬＳＩ２６１へ送る通話用信号として、ノイズキャンセル部４４０から送られるノイズ低減信号と、第１アナログデジタル変換部４１０から送られるデジタル信号とのいずれか一方を選択する処理である。この選択処理は、ＣＰＵ２６３がメモリ２６２に記憶されているプログラムを実行して、加速度センサ２４０と近接センサ２５０と通信用ＬＳＩ２６１と周辺ＩＣ２６４とタッチパネルコントローラ２６５とを制御することで実現される。
【００４０】
図７は、選択処理のフローチャートである。
選択処理は、携帯電話機１００が、外部の携帯電話機等との間で通話状態となることによって開始される。
選択処理が開始されると、傾斜判定部４６０は、持ち手情報保持部４７０が保持する持ち手情報が右手を示すか否かを調べる（ステップＳ７００）。
【００４１】
ステップＳ７００の処理において、持ち手情報が右手を示す場合に（ステップＳ７００：Ｙｅｓ）、傾斜判定部４６０は、傾斜範囲情報保持部４８０が保持する右手傾斜範囲情報を参照して、加速度センサ２４０から送られてくる傾斜情報によって示される鉛直方向が、右手傾斜範囲情報の示す範囲に収まっているか否かを調べる。すなわち、傾斜情報が示す鉛直方向のＸ軸成分の値が０以下であり、かつ、Ｚ軸成分の値が０以上であるか否かを調べる（ステップＳ７１０）。
【００４２】
ステップＳ７００の処理において、持ち手情報が右手を示さない場合、すなわち、左手を示す場合に（ステップＳ７００：Ｎｏ）、傾斜判定部４６０は、傾斜範囲情報保持部４８０が保持する左手傾斜範囲情報を参照して、加速度センサ２４０から送られてくる傾斜情報によって示される鉛直方向が、左傾斜範囲情報の示す範囲に収まっているか否かを調べる。すなわち、傾斜情報が示す鉛直方向のＸ軸成分の値が０以上であり、かつ、Ｚ軸成分の値が０以上であるか否かを調べる（ステップＳ７２０）。
【００４３】
ステップＳ７１０の処理において、傾斜情報が示す鉛直方向のＸ軸成分の値が０以下であり、かつ、Ｚ軸成分の値が０以上である場合（ステップＳ７１０：Ｙｅｓ）、又は、ステップＳ７２０の処理において、傾斜情報が示す鉛直方向のＸ軸成分の値が０以上であり、かつ、Ｚ軸成分の値が０以上である場合（ステップＳ７２０：Ｙｅｓ）に、傾斜判定部４６０は、傾斜判定信号を選択部４５０に出力する（ステップＳ７３０）。
【００４４】
傾斜判定部４６０が傾斜判定信号を選択部４５０に出力すると、選択部４５０は、近接センサ２５０から近接情報が送られているか否かを調べる（ステップＳ７４０）。
ステップＳ７４０の処理において、近接センサ２５０から近接情報が送られている場合に（ステップＳ７４０：Ｙｅｓ）、選択部４５０は、通信用ＬＳＩ２６１へ送る通話用信号として、ノイズキャンセル部４４０から送られるノイズ低減信号を選択する（ステップＳ７５０）。
【００４５】
ステップＳ７１０の処理において、傾斜情報が示す鉛直方向のＸ軸成分の値が０以下でない、又は、Ｚ軸成分の値が０以上でない場合（ステップＳ７１０：Ｎｏ）、又は、ステップＳ７２０の処理において、傾斜情報が示す鉛直方向のＸ軸成分の値が０以上でない、又は、Ｚ軸成分の値が０以上でない場合に（ステップＳ７２０：Ｎｏ）、傾斜判定部４６０は、傾斜判定信号を選択部４５０に出力しない（ステップＳ７６０）。
【００４６】
ステップＳ７６０の処理が終了した場合、又は、ステップＳ７４０の処理において、近接センサ２５０から近接情報が送られていない場合（ステップＳ７４０：Ｎｏ）に、選択部４５０は、通信用ＬＳＩ２６１へ送る通話用信号として、第１アナログデジタル変換部４１０から送られるデジタル信号を選択する（ステップＳ７７０）。
ステップＳ７６０の処理が終了した場合、又は、ステップＳ７７０の処理が終了した場合に、選択部４５０は、携帯電話機１００が現在通話状態であるか否かを調べる（ステップＳ７８０）。
【００４７】
ステップＳ７８０の処理において、携帯電話機１００が現在通話状態である場合に（ステップＳ７８０：Ｙｅｓ）、携帯電話機１００は、ステップＳ７００以下の処理を繰り返す。
ステップＳ７８０の処理において、携帯電話機１００が現在通話状態でない場合に（ステップＳ７８０：Ｎｏ）、携帯電話機１００は、その選択処理を終了する。
【００４８】
＜考察＞
上記構成の携帯電話機１００は、ユーザが手で携帯電話機１００を持って通話する場合において、携帯電話機１００の傾きが、マイク孔１１０から入力されるユーザの声の音声強度の方が、サブマイク孔１４０から入力されるユーザの声の音声強度よりも大きくなると想定される範囲内に収まっているときにノイズキャンセル処理を行い、携帯電話機１００の傾きが、マイク孔１１０から入力されるユーザの声の音声強度の方が、サブマイク孔１４０から入力されるユーザの声の音声強度よりも大きくなると想定される範囲内に収まっていないときに、ノイズキャンセル処理を行わない。このことによって、ノイズキャンセル処理によるユーザの声についての音声成分の大幅な低減が起こりにくくなっている。
＜実施の形態２＞
＜概要＞
以下、本発明に係る携帯通信端末の一例として、実施の形態１に係る携帯電話機１００の一部を変形した変形携帯電話機について説明する。
【００４９】
実施の形態２に係る変形携帯電話機は、そのハードウエア構成が、実施の形態１に係る携帯電話機１００と同様の構成のものとなっているが、実行されるソフトウエアの一部、及び、記憶されるデータの一部が、実施の形態１に係る携帯電話機１００から変形されている。
実施の形態２に係る変形携帯電話機は、実施の形態１に係る携帯電話機１００と同様に、通話状態において所定の条件を満たす場合に限ってノイズキャンセル処理を実行する。しかしながら、この変形携帯電話機は、ノイズキャンセル処理を実行するか否かを定めるための所定の条件が、実施の形態１に係る携帯電話機１００のものとは異なっている構成の例となっている。
【００５０】
以下、本実施の形態２に係る変形携帯電話機について、実施の形態１に係る携帯電話機１００との相違点を中心に、図面を参照しながら説明する。
＜構成＞
変形携帯電話機は、実施の形態１に係る携帯電話機１００と同様のハードウエア構成となっている。よって、ここでは説明を省略する。
【００５１】
また、以下では、変形携帯電話機のハードウエアを構成する各構成要素に係る説明は、実施の形態１における説明で用いた符号と同じものを用いて説明する。
変形携帯電話機においてＣＰＵ２６３が実行するプログラムの一部は、実施の形態１に係る携帯電話機１００においてＣＰＵ２６３が実行するプログラムから変形されている。このため、実施の形態１に係るノイズ低減機能ブロック４００は、変形ノイズ低減機能ブロック８００に変形されている。
【００５２】
図８は、変形ノイズ低減機能ブロック８００の機能構成を示すブロック図である。この変形ノイズ低減機能ブロック８００は、ＣＰＵ２６３がメモリ２６２に記憶されているプログラムを実行することで実現される。
同図に示されるように、変形ノイズ低減機能ブロック８００は、実施の形態１に係るノイズ低減機能ブロック４００から、選択部４５０が変形選択部８５０に変更され、傾斜判定部４６０が変形傾斜判定部８６０に変更され、傾斜範囲情報保持部４８０が変形傾斜範囲情報保持部８８０に変更され、持ち手情報保持部４７０が削除されるように変形されている。
【００５３】
変形傾斜範囲情報保持部８８０は、実施の形態１に係る傾斜範囲情報保持部４８０から、その一部が変形されたものであり、変形傾斜判定部８６０に接続され、傾斜範囲情報を記憶する機能を有する。ここで、傾斜範囲情報は、変形携帯電話機を利用するユーザが変形携帯電話機を手で持って通話する際におけるノイズキャンセル処理実施の有無に係る、変形携帯電話機の傾きの範囲を示す情報である。この傾斜範囲情報は、変形携帯電話機の持ち手が右手であるか左手であるかに影響されない情報であって、予め変形傾斜範囲情報保持部８８０に記憶されている。
【００５４】
以下、図面を用いて、上記傾斜範囲情報が示す変形携帯電話機の傾きの範囲について説明する。
図９は、ユーザが右手で変形携帯電話機を持って通話する場合において、変形携帯電話機を、変形携帯電話機のＸ軸に直交する平面（以下、「Ｘ軸直交平面」と呼ぶ。）に射影した射影像を模式的に示す模式図である。なお、以下で述べる内容は、変形携帯電話機の持ち手が左手であっても同様なものとなるため、ここでは、持ち手が右手の場合について説明する。図９における変形携帯電話機の射影像ｋ〜ｎに示されるように、変形携帯電話機は、ユーザによって様々な角度に傾けられて通話に利用される状況が想定される。なお、射影像ｋは、変形携帯電話機のＺ軸の射影軸と鉛直方向との角度が９０度となる状態の変形携帯電話機の射影像を示し、射影像ｌは、変形携帯電話機のＺ軸の射影軸と鉛直方向との角度が３０度となる状態の変形携帯電話機の射影像を示し、射影像ｍは、変形携帯電話機のＺ軸の射影像と鉛直方向とが一致する状態の変形携帯電話機の射影像を示し、射影像ｎは、変形携帯電話機のＺ軸の射影軸と鉛直方向との角度が−１０度となる状態の変形携帯電話機の射影像を示している。ここで携帯電話機１００のＺ軸の射影軸と鉛直方向との角度は、ユーザの顔から遠ざかる方向への向きを正となる向きとしている。
【００５５】
変形携帯電話機がｌ〜ｎの範囲に傾けられて通話に利用される場合には、ユーザの口からマイク孔１１０までの距離の方が、ユーザの口からサブマイク孔１４０までの距離よりも大きくなっている。従って、この場合には、マイク孔１１０から入力されるユーザの声の音声強度の方が、サブマイク孔１４０から入力されるユーザの声の音声強度よりも大きくなると考えられる。
【００５６】
逆に、変形携帯電話機がｋの位置に傾けられて通話に利用される場合には、ユーザの口からマイク孔１１０までの距離の方が、ユーザの口からサブマイク孔１４０までの距離よりも必ずしも大きくなるわけではない。従って、この場合には、マイク孔１１０から入力されるユーザの声の音声強度の方が、サブマイク孔１４０から入力されるユーザの声の音声強度よりも必ずしも大きくなるわけではないと考えられる。
【００５７】
傾斜範囲情報は、変形携帯電話機がユーザの手によって支持されて通話に利用される際におけるユーザの声について、マイク孔１１０から入力され音声強度の方が、サブマイク孔１４０から入力される音声強度よりも大きくなる範囲、すなわち、持ち手が右手である場合には、変形携帯電話機が図９におけるｌ〜ｎの範囲に傾けられている状態を示す情報である。具体的には、加速度センサ２４０が示す鉛直方向について、そのＹ軸成分の値がＳＩＮ（−１０°）以上ＳＩＮ（３０°）以下であり、かつ、そのＺ軸成分の値が０以上である範囲を示す情報である。ここでは、加速度センサ２４０が示す鉛直方向のＸ軸成分とＹ軸成分とＺ軸成分とは、それぞれの絶対値の最大値が１となるように正規化されているものとしている。
【００５８】
再び図８に戻って、変形ノイズ低減機能ブロック８００の説明を続ける。
変形傾斜判定部８６０は、実施の形態１に係る傾斜判定部４６０から、その一部が変形されたものであり、加速度センサ２４０と変形傾斜範囲情報保持部８８０と変形選択部８５０とに接続され、実施の形態１に係る傾斜判定部４６０の有する傾斜情報取得機能に加えて、以下の変形傾斜判定機能を有する。
【００５９】
変形傾斜判定機能：変形傾斜範囲情報保持部８８０に記憶される傾斜範囲情報を参照して、取得した傾斜情報によって示される鉛直方向が、参照した傾斜範囲情報によって示される範囲内に収まっている場合に、変形選択部８５０に、変形携帯電話機の傾きが所定の範囲内に収まっている旨の変形傾斜判定信号を送る機能。
変形選択部８５０は、実施の形態１に係る選択部４５０から、その一部が変形されたものであり、近接センサ２５０と変形傾斜判定部８６０と第１アナログデジタル変換部４１０とノイズキャンセル部４４０と通信用ＬＳＩ２６１とに接続され、（１）変形傾斜判定部８６０から変形傾斜判定信号が送られている場合において、近接センサ２５０から近接信号が送られているときに、ノイズキャンセル部４４０から送られるノイズ低減信号を選択して通話用信号として通信用ＬＳＩ２６１に送り、（２）変形傾斜判定部８６０から変形傾斜判定信号が送られていない場合、又は、近接センサ２５０から近接信号が送られていない場合に、第１アナログデジタル変換部４１０から送られるデジタル信号を選択して通話用信号として通信用ＬＳＩ２６１に出力する機能を有する。
【００６０】
以下、図面を参照しながら、上記構成の変形携帯電話機の行う動作について説明する。
＜動作＞
ここでは、変形携帯電話機の行う動作のうち、特徴的な動作である変形選択処理について説明する。
＜変形選択処理＞
変形選択処理は、通話状態である変形携帯電話機が行う処理であって、加速度センサ２４０の検出する鉛直方向と、近接センサ２５０の検出する人体頭部等の近接の有無とに応じて、選択部４５０が、通信用ＬＳＩ２６１へ送る通話用信号として、ノイズキャンセル部４４０から送られるノイズ低減信号と、第１アナログデジタル変換部４１０から送られるデジタル信号とのいずれか一方を選択する処理である。
【００６１】
図１０は、変形選択処理のフローチャートである。
変形選択処理は、実施の形態１に係る選択処理（図７参照）の一部が変形された処理である。変形選択処理におけるステップＳ１０３０の処理〜ステップＳ１０７０の処理は、それぞれ、実施の形態１に係る選択処理におけるステップＳ７３０の処理〜ステップＳ７７０の処理と同等の処理である。よって、ここでは、ステップＳ１０００の処理とステップＳ１０８０の処理とを中心に説明する。
【００６２】
変形選択処理は、変形携帯電話機が、外部の携帯電話機等との間で通話状態となることによって開始される。
変形選択処理が開始されると、変形傾斜判定部８６０は、変形傾斜範囲情報保持部８８０が保持する傾斜範囲情報を参照して、加速度センサ２４０から送られてくる傾斜情報によって示される鉛直方向が、傾斜範囲情報の示す範囲に収まっているか否かを調べる。すなわち、傾斜情報が示す鉛直方向のＹ軸成分の値がＳＩＮ（−１０°）以上ＳＩＮ（３０°）以下であり、かつ、Ｚ軸成分の値が０以上であるか否かを調べる（ステップＳ１０００）。
【００６３】
ステップＳ１０００の処理において、傾斜情報が示す鉛直方向のＹ軸成分の値がＳＩＮ（−１０°）以上ＳＩＮ（３０°）以下であり、かつ、Ｚ軸成分の値が０以上である場合に（ステップＳ１０００：Ｙｅｓ）、変形携帯電話機は、ステップＳ１０３０以下の処理を行う。そして、ステップＳ１０００の処理において、傾斜情報が示す鉛直方向のＹ軸成分の値がＳＩＮ（−１０°）以上ＳＩＮ（３０°）以下でない、又は、Ｚ軸成分の値が０以上でない場合に（ステップＳ１０００：Ｎｏ）、変形携帯電話機は、ステップＳ１０４０以下の処理を行う。
【００６４】
ステップＳ１０６０の処理が終了した場合、又は、ステップＳ１０７０の処理が終了した場合に、変形選択部８５０は、変形携帯電話機が現在通話状態であるか否かを調べる（ステップＳ１０８０）。
ステップＳ１０８０の処理において、変形携帯電話機が現在通話状態である場合に（ステップＳ１０８０：Ｙｅｓ）、変形携帯電話機は、ステップＳ１０００以下の処理を繰り返す。
【００６５】
ステップＳ１０８０の処理において、変形携帯電話機が現在通話状態でない場合に（ステップＳ１０８０：Ｎｏ）、変形携帯電話機は、その変形選択処理を終了する。
＜補足＞
以上、本発明に係る携帯通信端末の一実施形態として、実施の形態１と実施の形態２において、携帯電話機１００と変形携帯電話機とを例として説明したが、以下のように変形することも可能であり、本発明は上述した実施の形態通りの携帯通信端末に限られないことはもちろんである。
【００６６】
（１）実施の形態１において、携帯電話機１００は、近接センサ２５０と加速度センサ２４０と内蔵し、近接センサ２５０が、自端末を利用するユーザの頭部と自端末とが互いに近接していることを検出している場合において、加速度センサ２４０が、鉛直方向に対する自端末の傾きが所定の範囲内に収まっていることを検出しているときに限ってノイズキャンセル処理を行う構成の例であった。
【００６７】
しかしながら、携帯電話機１００は、近接センサ２５０を内蔵せずに、加速度センサ２４０が鉛直方向に対する自端末の傾きが所定の範囲内に収まっていることを検出しているときに限ってノイズキャンセル処理を行うという構成の例も考えられる。これは、一般に、携帯電話機を利用するユーザは、携帯電話機のレシーバ孔を耳に近接させた状態で通話すると考えられるため、必ずしも近接センサを内蔵していなくても、通話時であれば、携帯電話機とユーザの頭部とが互いに近接していることが想定されるからである。
【００６８】
（２）実施の形態１において、携帯電話機１００は、略直方体の筐体を備えるいわゆるスマートフォン型携帯電話機である構成の例であったが、鉛直方向に対する自端末の傾きが所定の範囲内に収まっていることを検知することができる構成であれば、必ずしも、略直方体の筐体を備えるいわゆるスマートフォン型携帯電話機である構成に限られない。
一例としては、下記に示す携帯電話機１１００等が考えられる。
【００６９】
図１１は、携帯電話機１１００の斜視図である。
同図に示されるように、携帯電話機１１００は、マイク孔１１１０を有する第１筐体１１３０と、レシーバ孔１１２０を有する第２筐体１１４０とが、開閉自在に連結されてなる、いわゆる折り畳み型携帯電話機である。
（３）実施の形態１において、携帯電話機１００は、ノイズキャンセル処理実施の有無に係る、携帯電話機１００の傾きの範囲が、（ａ）ユーザが右手を利用する場合には、加速度センサ２４０が示す鉛直方向について、そのＸ軸成分の値が０以下であり、かつ、そのＺ軸成分の値が０以上である範囲であり、（ｂ）ユーザが左手を利用する場合には、加速度センサ２４０が示す鉛直方向について、そのＸ軸成分の値が０以上であり、かつ、そのＺ軸成分の値が０以上である範囲である構成の例であった。そして、実施の形態２において、変形携帯電話機は、ノイズキャンセル処理の有無に係る、変形携帯電話機の傾きの範囲が、加速度センサ２４０が示す鉛直方向について、そのＹ軸成分の値がＳＩＮ（−１０°）以上ＳＩＮ（３０°）以下であり、かつ、そのＺ軸成分の値が０以上である範囲である構成の例であった。
【００７０】
しかしながら、マイク孔１１０から入力され音声強度の方が、サブマイク孔１４０から入力される音声強度よりも大きくなる範囲であれば、必ずしも、上記実施の形態１における携帯電話機１００の傾きの範囲や、上記実施の形態２における変形携帯電話機の傾きの範囲でなくても構わない。
一例として、携帯電話機の傾きの範囲が（ｃ）ユーザが右手を利用する場合には、加速度センサ２４０が示す鉛直方向について、そのＸ軸成分の値が０以下であり、かつ、そのＺ軸成分の値が０以上であり、かつ、そのＹ軸成分の値がＳＩＮ（−１０°）以上ＳＩＮ（３０°）以下である範囲であり、（ｄ）ユーザが左手を利用する場合には、加速度センサ２４０が示す鉛直方向について、そのＸ軸成分の値が０以上であり、かつ、そのＺ軸成分の値が０以上であり、かつ、そのＹ軸成分の値がＳＩＮ（−１０°）以上ＳＩＮ（３０°）以下である範囲である構成の例が考えられる。
【００７１】
（４）実施の形態１において、加速度センサ２４０は、互いに直交する３つの軸それぞれの軸成分を検出することができる、いわゆる３軸加速度センサである構成の例について説明した。しかしながら、測定する鉛直方向が、傾斜範囲情報保持部４８０によって記憶される、右手傾斜範囲情報及び左手傾斜範囲情報によって示される傾きの範囲であるか否かを検出することができれば、必ずしも、互いに直交する３つの軸それぞれの軸成分を検出することができる加速度センサである構成に限られず、例えば、互いに直交する２軸それぞれの軸成分を検出することができる加速度センサである構成もあり得るし、１軸のみの成分を検出することができる加速度センサである構成もあり得るし、互いに直交しない３つの軸成分を検出することができる加速度センサである構成もあり得る。
【００７２】
（５）実施の形態１において、携帯電話機１００は、サブマイク孔１４０が、筐体の裏側主表面のうち、レシーバ孔１２０に対向する位置に配置されている構成の例であった。しかしながら、携帯電話機１００を利用するユーザが、耳と口とをそれぞれにレシーバ孔１２０とマイク孔１１０とに近付けて通話している場合において、口からマイク孔１１０への距離の方が、口からサブマイク孔１４０への距離よりも短くなる位置にサブマイク孔１４０が配置されていれば、サブマイク孔１４０の配置位置は、必ずしも筐体の裏側主表面のうち、レシーバ孔１２０に対向する位置である必要はない。一例として、筐体側面の中央付近に配置されている構成等が考えられる。
【００７３】
（６）実施の形態１において、近接センサ２５０は、電気的な容量の変化を捉えることで検出体の近接を検知するタイプの静電容量型近接センサで構成されるとしたが、人体の頭部の近接を検知することができれば、必ずしも静電容量型近接センサである構成に限られない。一例として、赤外線を利用した赤外線測距センサで構成される例等が考えられる。
【００７４】
（７）実施の形態１において、携帯電話機１００は、レシーバ孔１２０の中心点を基点としてマイク孔１１０の中心点を終点とするベクトルの向きが、携帯電話機１００のＺ軸の正の向きと一致する構成の例であった。しかしながら、傾斜範囲情報保持部４８０に記憶されている、右手傾斜範囲情報の示す携帯電話機１００の傾きの範囲と左手傾斜範囲情報の示す携帯電話機１００の傾きの範囲とが、マイク孔１１０から入力される音声強度の方が、サブマイク孔１４０から入力される音声強度よりも大きくなる範囲を示していれば、必ずしも、レシーバ孔１２０の中心点を基点としてマイク孔１１０の中心点を終点とするベクトルの向きが、携帯電話機１００のＺ軸の正の向きと一致する構成である必要はない。一例として、レシーバ孔１２０の中心点を基点としてマイク孔１１０の中心点を終点とするベクトルの向きが、携帯電話機１００のＺ軸の正の向きに対して、Ｘ軸の正の向きに１０度傾斜している構成の例等が考えられる。
【００７５】
（８）実施の形態１において、携帯電話機１００は、加速度センサ２４０における、Ｘ軸、Ｙ軸、Ｚ軸のそれぞれの正の向きと、携帯電話機１００における、Ｘ軸、Ｙ軸、Ｚ軸のそれぞれの正の向きとが互いに一致するように、加速度センサ２４０が、携帯電話機１００の筐体に固定されている構成の例であった。しかしながら、携帯電話機１００が、鉛直方向に対する自端末の傾きを検出することができれば、必ずしも、加速度センサ２４０における、Ｘ軸、Ｙ軸、Ｚ軸のそれぞれの正の向きと、携帯電話機１００における、Ｘ軸、Ｙ軸、Ｚ軸のそれぞれの正の向きとが互いに一致する構成に限られない。一例として、加速度センサ２４０における、Ｘ軸、Ｙ軸、Ｚ軸のそれぞれの正の向きと、携帯電話機１００における、Ｘ軸、Ｙ軸、Ｚ軸のそれぞれの正の向きとが互いに一致しないように、加速度センサ２４０が、携帯電話機１００の筐体に所定の角度で固定されており、さらに、傾斜判定部４６０が、加速度センサ２４０から出力される、加速度センサ２４０における、Ｘ軸成分の値と、Ｙ軸成分の値と、Ｚ軸成分の値とから構成される傾斜情報から、携帯電話機１００におけるＸ軸成分の値と、Ｙ軸成分の値と、Ｚ軸成分の値とから構成される変形傾斜情報に変換する傾斜情報変換機能を有している構成の例等が考えられる。
【００７６】
（９）実施の形態において、携帯通信端末が携帯電話機である場合の例について説明したが、通話機能を備える携帯端末であれば、必ずしも携帯電話機に限られる必要はなく、例えば、通話機能を有するＰＤＡ（Personal Digital Assistant:携帯情報端末）、トランシーバ等であっても構わない。
（１０）上記実施の形態及び上記変形例をそれぞれ組み合わせるとしてもよい。
【００７７】
（１１）以下、さらに本発明の一実施形態に係る携帯通信端末の構成及びその変形例と各効果について説明する。
（ａ）本発明の一実施形態に係る携帯通信端末は、内蔵するマイクの出力信号に基づく通話信号を外部の通信機器に送信する携帯通信端末であって、前記マイクと離間されて配置されるサブマイクと、前記マイクの出力信号と前記サブマイクの出力信号とに基づいて、前記マイクの出力信号から当該信号に含まれる雑音成分を低減したノイズ低減信号を生成するノイズ低減部と、鉛直方向に対する自端末の傾きを計測する傾斜計測部と、前記傾斜計測部によって計測される前記傾きが所定の範囲内に収まっていない場合に前記マイクの出力信号を選択するように、前記マイクの出力信号と前記ノイズ低減部によって生成されたノイズ低減信号とを択一的に選択する選択部と、前記選択部によって選択された信号を前記外部の通信機器に送信する送信部とを備えることを特徴とする。
【００７８】
上述の構成を備える本実施の形態に係る携帯通信端末は、所定の範囲を、マイクから入力されるユーザの声についての音量レベルが、サブマイクから入力されるユーザの声についての音量レベルよりも、ノイズ低減手段によって比較的大幅に低減されてしまうことのない程度に大きくなる範囲と設定することで、従来よりも、ノイズ低減手段によるユーザの声についての音声成分の大幅な低減を起こりにくくすることができる。
【００７９】
（ｂ）また、自端末を利用するユーザの頭部と自端末とが互いに近接していることを検出する近接検出部を備え、前記選択部は、前記択一的な選択において、さらに、前記近接検出部によって前記検出がなされていない場合にも前記マイクの出力信号を選択するように行うとしてもよい。
これにより、携帯通信端末は、ユーザが携帯通信端末を頭部に近接させずに通話している場合に、ノイズ低減手段によるユーザの声についての音声成分の大幅な低減を起こらなくすることができる。
【００８０】
（ｃ）また、外部の通信機器から送信された通信信号を受信する受信部と、前記受信部が受信する通信信号に基づく音声を外部に出力するレシーバとを備え、前記所定の範囲は、自端末を利用するユーザが前記レシーバを耳に近接させる状態において、当該ユーザの口と前記マイクとの距離の方が、当該ユーザの口と前記サブマイクとの距離よりも短くなる範囲に含まれているとしてもよい。
【００８１】
これにより、ユーザがレシーバを耳に近接させて通話する状態における、ユーザの口とマイクとの距離の方がユーザの口とサブマイクとの距離よりも短くならない範囲において、ノイズ低減手段によるユーザの声についての音声成分の大幅な低減を起こらなくすることができる。
（ｄ）また、外部の通信機器から送信された通信信号を受信する受信部と、前記受信部が受信する通信信号に基づく音声を外部に出力するレシーバとを備え、前記所定の範囲は、前記レシーバを基点として、前記マイクと鉛直方向とのなす傾きにおける、自端末を利用するユーザが前記レシーバを耳に近接させる状態における前記ユーザの顔の前方方向への角度成分が、０度以上９０度以下となる範囲であるとしてもよい。
【００８２】
これにより、携帯通信端末は、ユーザがレシーバを耳に近接させて通話する状態におけるユーザの顔の前方に０度以上９０度以下となる範囲以外の範囲において、ノイズ低減手段によるユーザの声についての音声成分の大幅な低減を起こらなくすることができる。
（ｅ）また、外部の通信機器から送信された通信信号を受信する受信部と、前記受信部が受信する通信信号に基づく音声を外部に出力するレシーバとを備え、前記所定の範囲は、前記レシーバを基点として、前記マイクと鉛直方向とのなす傾きにおける、自端末を利用するユーザが前記レシーバを耳に近接させる状態における前記ユーザの顔の側面から遠ざかる方向への角度成分が、−１０度以上３０度以下となる範囲であるとしてもよい。
【００８３】
これにより、携帯通信端末は、ユーザがレシーバを耳に近接させて通話する状態におけるユーザの顔の側方に−１０度以上３０度以下となる範囲以外の範囲において、ノイズ低減手段によるユーザの声についての音声成分の大幅な低減を起こらなくすることができる。
【産業上の利用可能性】
【００８４】
本発明は、携帯通信端末に広く利用することができる。
【符号の説明】
【００８５】
１００  携帯電話機
１１０  マイク孔
１２０  レシーバ孔
１３０  タッチパネル
１４０  サブマイク孔
２１０  マイク
２２０  レシーバ
２３０  サブマイク
２４０  加速度センサ
２５０  近接センサ
２６１  通信用ＬＳＩ
２６２  メモリ
２６３  ＣＰＵ
２６４  周辺ＩＣ
２７０  タッチパッド
２８０  液晶ディスプレイ
３２０  アンテナ
【図１】
0005847006.tif 000002
【図２】
0005847006.tif 000003
【図３】
0005847006.tif 000004
【図４】
0005847006.tif 000005
【図５】
0005847006.tif 000006
【図６】
0005847006.tif 000007
【図７】
0005847006.tif 000008
【図８】
0005847006.tif 000009
【図９】
0005847006.tif 000010
【図１０】
0005847006.tif 000011
【図１１】
0005847006.tif 000012